(57)【特許請求の範囲】
【請求項１】
大気中に飛散している塩分を捕獲可能である素材、及び、該素材が張られた枠体を有する複数の飛散塩分捕獲体と、該複数の飛散塩分捕獲体を保持する保持装置とを備え、
前記保持装置は、
未使用の前記飛散塩分捕獲体を縦向きに収納する複数の上段収納部が、前記未使用の飛散塩分捕獲体に対して直交する方向へ並べて配され、前記上段収納部の下部に、前記飛散塩分捕獲体が通過可能な上段スリットが形成された上段部と、
使用済の前記飛散塩分捕獲体を縦向きに収納する複数の下段収納部が、前記上段部から下方に離れた位置において前記使用済の飛散塩分捕獲体に対して直交する方向へ並べて配され、前記下段収納部の上部に、前記飛散塩分捕獲体が通過可能な下段スリットが形成された下段部と、
前記上段部と前記下段部との間に前記上段収納部及び前記下段収納部が並んだ方向へ移動可能に設けられ、前記上段スリットを塞ぐ上板、前記下段スリットを塞ぐ下板、及び、使用中の前記飛散塩分捕獲体を縦向きに前記上板と前記下板との間で保持する保持部を有し、前記上板に前記飛散塩分捕獲体が前記保持部へ通過可能な中段上スリットが形成され、前記下板に前記飛散塩分捕獲体が前記下段収納部へ通過可能な中段下スリットが形成された中段部とを備え、
前記中段部が所定方向に移動すると、前記未使用の飛散塩分捕獲体が、前記上段収納部の何れか一から前記保持部へ前記上段スリット及び前記中段上スリットを通して落下して該飛散塩分捕獲体が隣り合った前記下段スリットの間の部位に載る第一の状態と、前記使用中の飛散塩分捕獲体が、前記保持部から前記下段収納部の何れか一へ前記中段下スリット及び前記下段スリットを通して落下すると共に、前記未使用の飛散塩分捕獲体が、前記上板の上に載る第二の状態とに交互に遷移するように構成されている飛散塩分捕獲装置。
【請求項２】
前記中段部を前記上段収納部及び前記下段収納部が並んだ方向へ移動させる駆動部と、
前記第一の状態が所定時間維持され、前記第二の状態を経由して前記第一の状態に遷移されて前記所定時間維持されることが繰り返されるように、前記中段部を前記駆動部により前記所定方向へ移動させる制御部と
を備える請求項１に記載の飛散塩分捕獲装置。
【請求項３】
前記中段部の側方が通風可能に構成されている請求項１又は請求項２に記載の飛散塩分捕獲装置。
【請求項４】
前記上段部の上部に、前記上部を閉塞する上段蓋部が着脱可能に設けられ、
前記下段部の下部に、前記下部を閉塞する下段蓋部が着脱可能に設けられている請求項１から請求項３までの何れか１項に記載の飛散塩分捕獲装置。
【請求項５】
前記保持装置を収容し、前記飛散塩分捕獲体に導風する導風口が設けられた箱を備える請求項１から請求項４までの何れか１項に記載の飛散塩分捕獲装置。
【請求項６】
大気中に飛散している塩分を捕獲可能である素材、及び、該素材が張られた枠体を有し、保持装置に保持される飛散塩分捕獲体であり、
前記保持装置は、
未使用の前記飛散塩分捕獲体を縦向きに収納する複数の上段収納部が、前記未使用の飛散塩分捕獲体に対して直交する方向へ並べて配され、前記上段収納部の下部に、前記飛散塩分捕獲体が通過可能な上段スリットが形成された上段部と、
使用済の前記飛散塩分捕獲体を縦向きに収納する複数の下段収納部が、前記上段部から下方に離れた位置において前記使用済の飛散塩分捕獲体に対して直交する方向へ並べて配され、前記下段収納部の上部に、前記飛散塩分捕獲体が通過可能な下段スリットが形成された下段部と、
前記上段部と前記下段部との間に前記上段収納部及び前記下段収納部が並んだ方向へ移動可能に設けられ、前記上段スリットを塞ぐ上板、前記下段スリットを塞ぐ下板、及び、使用中の前記飛散塩分捕獲体を縦向きに前記上板と前記下板との間で保持する保持部を有し、前記上板に前記飛散塩分捕獲体が前記保持部へ通過可能な中段上スリットが形成され、前記下板に前記飛散塩分捕獲体が前記下段収納部へ通過可能な中段下スリットが形成された中段部とを備え、
前記中段部が所定方向に移動すると、前記未使用の飛散塩分捕獲体が、前記上段収納部の何れか一から前記保持部へ前記上段スリット及び前記中段上スリットを通して落下して該飛散塩分捕獲体が隣り合った前記下段スリットの間の部位に載る第一の状態と、前記使用中の飛散塩分捕獲体が、前記保持部から前記下段収納部の何れか一へ前記中段下スリット及び前記下段スリットを通して落下すると共に、前記未使用の飛散塩分捕獲体が、前記上板の上に載る第二の状態とに交互に遷移するように構成されており、
前記素材又は前記枠体に当該飛散塩分捕獲体を識別するための表示が記されている飛散塩分捕獲体。
【請求項７】
前記枠体の一辺にウエイトが取り付けられている請求項６に記載の飛散塩分捕獲体。
【発明の詳細な説明】
【技術分野】
【０００１】
本発明は、飛散塩分量を測定するために大気中に飛散している塩分を捕獲する飛散塩分捕獲装置及び飛散塩分捕獲体に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに塩分を含んだ大気を通過させてガーゼに塩分を付着させ、その付着した塩分の量を測定するというものである。【０００３】
また、特許文献１に記載の外気導入装置では、外気を屋外構造物の内部に導入する外気導入部にテープ状の除塩フィルタを設け、この除塩フィルタで塩分を捕獲することで、外気中の塩分が屋外構造物の内部に入ることを防止している。ここで、特許文献１に記載の外気導入装置では、除塩フィルタの新規な面を外気導入部へ送り出し、塩分が付着した面を外気導入部から退避させる機構を設けることで、連続しての塩分の捕獲を可能にしている。
【先行技術文献】
【特許文献】
【０００４】
【特許文献１】特開２０１１−８５５１６号公報
【発明の概要】
【発明が解決しようとする課題】
【０００５】
ところで、百葉箱を鉄塔等の高所に設置してその中に上述のガーゼを設置することにより、高所での飛散塩分量を測定できる。この場合、ガーゼを所定期間毎に交換する必要があるが、交換作業の度に百葉箱を高所で上げたり下したりするのでは作業性が悪い。そのため、高所に設置した百葉箱の中で自動若しくは簡単な操作により、曝露位置において飛散塩分を捕獲するガーゼと未使用のガーゼとを交換できるようにすることが望ましい。なお、特許文献１に記載の送り出し機構を百葉箱内に設置することはこれらの寸法上難しい。【０００６】
本発明は、上記事情に鑑みてなされたものであり、飛散塩分を捕獲する飛散塩分捕獲体の交換を百葉箱の中で自動若しくは簡単な操作により実施できるようにすることを課題とするものである。
【課題を解決するための手段】
【０００７】
本発明に係る飛散塩分捕獲装置は、大気中に飛散している塩分を捕獲可能である素材、及び、該素材が張られた枠体を有する複数の飛散塩分捕獲体と、該複数の飛散塩分捕獲体を保持する保持装置とを備え、前記保持装置は、未使用の前記飛散塩分捕獲体を縦向きに収納する複数の上段収納部が、前記未使用の飛散塩分捕獲体に対して直交する方向へ並べて配され、前記上段収納部の下部に、前記飛散塩分捕獲体が通過可能な上段スリットが形成された上段部と、使用済の前記飛散塩分捕獲体を縦向きに収納する複数の下段収納部が、前記上段部から下方に離れた位置において前記使用済の飛散塩分捕獲体に対して直交する方向へ並べて配され、前記下段収納部の上部に、前記飛散塩分捕獲体が通過可能な下段スリットが形成された下段部と、前記上段部と前記下段部との間に前記上段収納部及び前記下段収納部が並んだ方向へ移動可能に設けられ、前記上段スリットを塞ぐ上板、前記下段スリットを塞ぐ下板、及び、使用中の前記飛散塩分捕獲体を縦向きに前記上板と前記下板との間で保持する保持部を有し、前記上板に前記飛散塩分捕獲体が前記保持部へ通過可能な中段上スリットが形成され、前記下板に前記飛散塩分捕獲体が前記下段収納部へ通過可能な中段下スリットが形成された中段部とを備え、前記中段部が所定方向に移動すると、前記未使用の飛散塩分捕獲体が、前記上段収納部の何れか一から前記保持部へ前記上段スリット及び前記中段上スリットを通して落下して該飛散塩分捕獲体が隣り合った前記下段スリットの間の部位に載る第一の状態と、前記使用中の飛散塩分捕獲体が、前記保持部から前記下段収納部の何れか一へ前記中段下スリット及び前記下段スリットを通して落下すると共に、前記未使用の飛散塩分捕獲体が、前記上板の上に載る第二の状態とに交互に遷移するように構成されている。【０００８】
前記飛散塩分捕獲装置は、前記中段部を前記上段収納部及び前記下段収納部が並んだ方向へ移動させる駆動部と、前記第一の状態が所定時間維持され、前記第二の状態を経由して前記第一の状態に遷移されて前記所定時間維持されることが繰り返されるように、前記中段部を前記駆動部により前記所定方向へ移動させる制御部とを備えてもよい。【０００９】
前記飛散塩分捕獲装置において、前記中段部の側方が通風可能に構成されてもよい。【００１０】
前記飛散塩分捕獲装置において、前記上段部の上部に、前記上部を閉塞する上段蓋部が着脱可能に設けられ、前記下段部の下部に、前記下部を閉塞する下段蓋部が着脱可能に設けられてもよい。【００１１】
前記飛散塩分捕獲装置は、前記保持装置を収容し、前記飛散塩分捕獲体に導風する導風口が設けられた箱を備えてもよい。【００１２】
また、本発明に係る飛散塩分捕獲体は、大気中に飛散している塩分を捕獲可能である素材、及び、該素材が張られた枠体を有し、保持装置に保持される飛散塩分捕獲体であり、前記保持装置は、未使用の前記飛散塩分捕獲体を縦向きに収納する複数の上段収納部が、前記未使用の飛散塩分捕獲体に対して直交する方向へ並べて配され、前記上段収納部の下部に、前記飛散塩分捕獲体が通過可能な上段スリットが形成された上段部と、使用済の前記飛散塩分捕獲体を縦向きに収納する複数の下段収納部が、前記上段部から下方に離れた位置において前記使用済の飛散塩分捕獲体に対して直交する方向へ並べて配され、前記下段収納部の上部に、前記飛散塩分捕獲体が通過可能な下段スリットが形成された下段部と、前記上段部と前記下段部との間に前記上段収納部及び前記下段収納部が並んだ方向へ移動可能に設けられ、前記上段スリットを塞ぐ上板、前記下段スリットを塞ぐ下板、及び、使用中の前記飛散塩分捕獲体を縦向きに前記上板と前記下板との間で保持する保持部を有し、前記上板に前記飛散塩分捕獲体が前記保持部へ通過可能な中段上スリットが形成され、前記下板に前記飛散塩分捕獲体が前記下段収納部へ通過可能な中段下スリットが形成された中段部とを備え、前記中段部が所定方向に移動すると、前記未使用の飛散塩分捕獲体が、前記上段収納部の何れか一から前記保持部へ前記上段スリット及び前記中段上スリットを通して落下して該飛散塩分捕獲体が隣り合った前記下段スリットの間の部位に載る第一の状態と、前記使用中の飛散塩分捕獲体が、前記保持部から前記下段収納部の何れか一へ前記中段下スリット及び前記下段スリットを通して落下すると共に、前記未使用の飛散塩分捕獲体が、前記上板の上に載る第二の状態とに交互に遷移するように構成されており、前記素材又は前記枠体に当該飛散塩分捕獲体を識別するための表示が記されている。【００１３】
前記飛散塩分捕獲体において、前記枠体の一辺にウエイトが取り付けられてもよい。
【発明の効果】
【００１４】
本発明によれば、飛散塩分を捕獲する飛散塩分捕獲体の交換を百葉箱の中で自動若しくは簡単な操作により実施できる。
【図面の簡単な説明】
【００１５】
【図１】一実施形態に係る飛散塩分捕獲装置を示す斜視図である。
【図２】飛散塩分捕獲体を示す正面図である。
【図３】保持装置を示す縦断面図である。
【図４】保持装置を示す斜視図である。
【図５】保持装置を示す正面図である。
【図６】保持装置を示す側面図である。
【図７】保持装置の動作を説明するための立断面図である。
【図８】保持装置の動作を説明するための立断面図である。
【図９】保持装置の動作を説明するための立断面図である。
【図１０】保持装置の動作を説明するための立断面図である。
【図１１】保持装置の動作を説明するための立断面図である。
【発明を実施するための形態】
【００１６】
以下、図面を参照しながら、本発明を実施するための形態を説明する。図１は、一実施形態に係る飛散塩分捕獲装置１０を示す斜視図である。この図に示すように、飛散塩分捕獲装置１０は、百葉箱１と、百葉箱１内に設置された保持装置１００と、保持装置１００が保持する複数の飛散塩分捕獲体２０とを備えている。百葉箱１は、直方体状の箱であり、四つの側面にルーバー２が設けられている。ルーバー２は、奥側へかけて上側に傾斜する整流板が縦に並んだ構成である。なお、百葉箱１の一の側面を前面といい、該一の側面と対向する面を後面という。また、百葉箱１の前面側を装置前側、百葉箱１の後面側を装置後側といい、百葉箱１の前後方向を装置前後方向という。また、装置前後方向と直交する横方向を装置左右方向という。
【００１７】
図２は、飛散塩分捕獲体２０を示す正面図である。この図に示すように、飛散塩分捕獲体２０は、通気性を有し、飛散する塩分を捕獲可能である矩形状のガーゼ２２と、ガーゼ２２を保持する矩形状の枠体であるガーゼホルダー２４と、ガーゼホルダー２４に取り付けられたウエイト２６とを備えている。この飛散塩分捕獲体２０では、ガーゼ２２の周縁部がガーゼホルダー２４に取り付けられることで、ガーゼ２２がガーゼホルダー２４の内側に張られている。また、ガーゼホルダー２４は上下左右及び表裏の設置向きが決められており、その向きでガーゼホルダー２４が設置された場合に、ガーゼホルダー２４の下辺となる位置にウエイト２６が取り付けられている。
【００１８】
ここで、ガーゼ２２には、当該ガーゼ２２を識別するための表示である数字が記されている。この数字は使用する順序や使用する月等を特定するものである。即ち、使用する順序を特定する数字の場合は、ガーゼ２２の設置数に応じて１，２，３，４，…となり、使用する月を特定する数字の場合は、例えば、４，５，６，７，…となる。
【００１９】
図３は、保持装置１００を示す縦断面図であり、図４は、保持装置１００を示す斜視図である。また、図５は、保持装置１００を示す正面図であり、図６は、保持装置１００を示す側面図である。これらの図に示すように、保持装置１００は、未使用の飛散塩分捕獲体２０を装置の上段で保持する上段保持部１１０と、使用中の飛散塩分捕獲体２０を装置の中段の曝露位置で保持する中段保持部１２０と、使用済の飛散塩分捕獲体２０を装置の下段で保持する下段保持部１３０と、これらを支持するフレーム１４０と、中段保持部１２０を移動させる移動機構１５０とを備えている。ここで、複数の飛散塩分捕獲体２０は、上段保持部１１０及び下段保持部１３０においてガーゼ２２が装置前後方向を向くように装置前後方向に間隔を空けて並べて配されている。
【００２０】
フレーム１４０は、互いに平行且つ装置左右方向に対向するように配された一対の矩形状の側板１４２と、一対の側板１４２の上部を連結する一対の連結部材１４４Ａ、１４４Ｂと、一対の側板１４２の下部を連結する一対の連結部材１４６Ａ、１４６Ｂと、これらを支持する一対の脚部１４８、１４９とを備えている。側板１４２は多孔板であり、装置左右方向からの風を通過させる。また、一対の連結部材１４４Ａ、１４４Ｂは、装置左右方向に延びるＬ型アングルであり、連結部材１４４Ａは、一対の側板１４２の上側の一方の角部を連結し、連結部材１４４Ｂは、一対の側板１４２の上側の両側の角部の間を連結している。また、一対の連結部材１４６Ａ、１４６Ｂは、装置左右方向に延びるＬ型アングルであり、連結部材１４６Ａは、連結部材１４４Ａの直下において一対の側板１４２の下側の一方の角部を連結し、他方の連結部材１４６Ｂは、連結部材１４４Ｂの直下において一対の側板１４２の下側の両側の角部の間を連結している。
【００２１】
脚部１４８は、一対の鉛直な柱部１４８Ａと、一対の柱部１４８Ａの下端を連結する底部１４８Ｂとを備えている。各柱部１４８Ａの上端は、各側板１４２の上側の一方の角部を挟んで連結部材１４４Ａの一端と結合され、各柱部１４８Ａの中間部は、各側板１４２の下側の一方の角部を挟んで連結部材１４４Ａの一端と結合されている。
【００２２】
脚部１４９は、一対の斜柱部１４９Ａと、一対の斜柱部１４９Ａの下端を連結する底部１４９Ｂとを備えている。各斜柱部１４９Ａの上端は、各側板１４２の上端を挟んで連結部材１４４Ｂの一端と結合され、各斜柱部１４９Ａの中間部は、各側板１４２の下側の他方の角部に固定されている。
【００２３】
上段保持部１１０は、複数の仕切板１１２と、この複数の仕切板１１２を保持する左右一対の保持部材１１４と、上段保持部１１０の上部を開閉する蓋部１１６とを備えている。一対の保持部材１１４は、縦長の矩形状の板材であり、装置左右方向に対向している。一方の保持部材１１４の下端は、その幅方向（装置前後方向）に貫通する固定ピン１１５により連結部材１４４Ａ、１４４Ｂの長手方向一端に固定され、他方の保持部材１１４の下端は、その幅方向（装置前後方向）に貫通する固定ピン１１５により連結部材１４４Ａ、１４４Ｂの長手方向他端に固定されている。
【００２４】
ここで、一対の保持部材１１４の互いに装置左右方向に対向する面には、複数列の縦スリット１１４Ａが形成されている（図３参照）。ここで、一方の保持部材１１４の縦スリット１１４Ａと他方の保持部材１１４の縦スリット１１４Ａとの装置前後方向の位置が揃うように構成されており、仕切板１１２の左右両端が、スリット１１４Ａに嵌り込んでいる。これにより、複数の仕切板１１２が装置前後方向に間隔を空けて並んだ状態で一対の保持部材１１４により保持されている。
【００２５】
また、蓋部１１６は、底側が開口した直方体形状の部材であり、その長手方向両端が一対の保持部材１１４の上部に着脱可能に嵌められている。即ち、蓋部１１６が一対の保持部材１１４の上部に嵌められた状態で、上段保持部１１０の上部が閉塞され、蓋部１１６が一対の保持部材１１４の上部から取り外された状態で、上段保持部１１０の上部が開放される。
【００２６】
下段保持部１３０は、複数の仕切板１３２と、この複数の仕切板１３２を保持する左右一対の保持部材１３４と、下段保持部１３０の下部を閉塞する蓋部１３６と、下段保持部１３０の上部に設けられたスリット形成部１３８とを備えている（図３参照）。一対の保持部材１３４は、縦長の矩形状の板材であり、装置左右方向に対向している。一方の保持部材１３４の上端は、その幅方向（装置前後方向）に貫通する固定ピン１３５により連結部材１４６Ａ、１４６Ｂの長手方向一端に固定され、他方の保持部材１３４の上端は、その幅方向（装置前後方向）に貫通する固定ピン１３５により連結部材１４６Ａ、１４６Ｂの長手方向他端に固定されている。
【００２７】
ここで、一対の保持部材１３４の互いに装置左右方向に対向する面には、複数列の縦スリット１３４Ａが形成されている。ここで、一方の保持部材１３４の縦スリット１３４Ａと他方の保持部材１３４の縦スリット１３４Ａとの装置前後方向の位置が揃うように構成されており、仕切板１３２の左右両端が、スリット１３４Ａに嵌り込んでいる。これにより、複数の仕切板１３２が装置前後方向に間隔を空けて並んだ状態で一対の保持部材１３４により保持されている。
【００２８】
また、蓋部１３６は、上側が開口した直方体形状の部材であり、その長手方向両端が一対の保持部材１３４の下部に着脱可能に嵌められている。即ち、蓋部１３６が一対の保持部材１１４の下部に嵌められた状態で、下段保持部１３０の下部が閉塞され、蓋部１３６が一対の保持部材１３４の下部から取り外された状態で、下段保持部１３０の下部が開放される。
【００２９】
また、スリット形成部１３８は、仕切板１３２間に飛散塩分捕獲体２０を落下させるための複数のスリット１３８Ａを形成すると共に、スリット１３８Ａ間の帯状部１３８Ｂでは下段保持部１３０の上部を塞ぐ。
【００３０】
ここで、上側の連結部材１４４Ａ、１４４Ｂと下側の連結部材１４６Ａ、１４６Ｂとの間には、装置前後方向に見て矩形状の空間が形成されており、この空間に中段保持部１２０が装置前後方向に移動可能に配されている。この中段保持部１２０は、上側の連結部材１４４Ａ、１４４Ｂと下側の連結部材１４６Ａ、１４６Ｂとの間に装置前後方向に移動可能に嵌め込まれたベース部１２２と、ベース部１２２の内部に配された矩形状の一対の枠体１２４とを備えている。ベース部１２２は、上下に対向する上板１２２Ａと下板１２２Ｂとが４本の柱部１２２Ｃで連結された構成である。
【００３１】
枠体１２４の開口１２４Ａの縦横の長さはガーゼ２２よりも大きくなったおり、一対の枠体１２４は、風が開口１２４Ａを装置前後方向に吹き抜けるようにベース部１２２の装置前後方向の中央部に配されている。また、一対の枠体１２４は、飛散塩分捕獲体２０を挿入できるだけの間隔を空けて配されている。また、枠体１２４の下端がベース部１２２の下板１２２Ｂに固定され、枠体１２４の上端がベース部１２２の上板１２２Ａに固定されている。ここで、ベース部１２２の装置前後方向の長さは、上段保持部１１０及び下段保持部１３０の装置前後方向の長さの２倍以上に設定されている。
【００３２】
図３に示すように、ベース部１２２の上板１２２Ａには、上段保持部１１０から一対の枠体１２４の間に飛散塩分捕獲体２０を落下させるためのスリット１２２Ｄが形成され、ベース部１２２の下板１２２Ｂには、一対の枠体１２４の間から下段保持部１３０へ飛散塩分捕獲体２０を落下させるためのスリット１２２Ｄが形成されている。ここで、後述するように飛散塩分捕獲体２０は、一対の枠体１２４間で一定期間保持されるが、その際にガーゼ２２の全体が開口１２４Ａ内で曝露されるように、開口１２４Ａの位置が設定されている。
【００３３】
移動機構１５０は、連結部材１４６Ａに取り付けられたモータ１５２と、ベース部１２２の下板１２２Ｂの下面に装置前後方向に延びるように設けられたラック１５４とを備えている（図３、図５及び図６参照）。モータ１５２のピニオンギア１５２Ａとラック１５４とは噛み合っており、モータ１５２が駆動されると中段保持部１２０が装置前後方向に移動する。
【００３４】
ところで、上側の仕切板１１２の間隔と下側の仕切板１３２の間隔とは同じであり、上側の仕切板１１２と下側の仕切板１３２との装置前後方向についての位置は一致している。また、上段保持部１１０から中段保持部１２０へ飛散塩分捕獲体２０を落下させるためのスリット１２２Ｄの幅は、上側の仕切板１１２及び下側の仕切板１３２のそれぞれの間隔、及びスリット１２２Ｅの幅と同じである。ここで、中段保持部１２０から下段保持部１３０へ飛散塩分捕獲体２０を落下させるためのスリット１３８Ａの幅は、スリット１２２Ｄ、１２２Ｅよりも狭く、また、スリット１３８Ａは、スリット１２２Ｄ、１２２Ｅの幅方向の中心よりも装置後側に寄せて配されている。これにより、中段保持部１２０の移動によりスリット１２２Ｄが上側の仕切板１１２の間に配置されると、上段保持部１１０の飛散塩分捕獲体２０がスリット１２２Ｄを通して中段保持部１２０に落下してスリット形成部１３８の帯状部１３８Ｂ上に乗る。この状態から中段保持部１２０が装置後側へ移動すると、飛散塩分捕獲体２０がスリット１２２Ｅ及びスリット１３８Ａを通して下段保持部１３０へ落下する。
【００３５】
ここで、モータ１５２は、タイマ機能付きのモータ制御装置（図示省略）によって所定期間（例えば、１か月間）おきに駆動され、スリット１２２Ｄを上段保持部１１０の次列の飛散塩分捕獲体２０の位置まで移動させる。以下、保持装置１００の動作について説明する。
【００３６】
図７〜図１１は、保持装置１００の動作を説明するための立断面図である。まず、図７に示すように、上段保持部１１０の装置後側の３列の収納位置と、中段保持部１２０の装置前側（最前列）の収納位置とに飛散塩分捕獲体２０が収納される。中段保持部１２０の飛散塩分捕獲体２０のガーゼ２２は、開口１２４Ａを通して曝露され、飛散塩分を捕獲する。
【００３７】
次に、図８及び図９に示すように、所定期間経過後にモータ１５２が駆動されて、スリット１２２Ｄが上段保持部１１０の次列（装置前側から２列目）の飛散塩分捕獲体２０の位置まで移動される。この際、図８に示すように、中段保持部１２０の装置後側への移動により、中段保持部１２０の使用済みの飛散塩分捕獲体２０が、下段保持部１３０の最前列のスリット１３８Ａ上まで移動されて該スリット１３８Ａを通して下段保持部１３０の最前列の収納位置に落下する。そして、図９に示すように、中段保持部１２０のスリット１２２Ｄが上段保持部１１０の２列目の未使用の飛散塩分捕獲体２０の位置まで移動すると、該未使用の飛散塩分捕獲体２０が、スリット１２２Ｄを通して中段保持部１２０の収納位置に落下する。この際、該未使用の飛散塩分捕獲体２０は、下段保持部１３０の２列目の帯状部１３８Ｂの上に落下することにより、中段保持部１２０において保持される。
【００３８】
同様に、図１０に示すように、所定期間経過後にモータ１５２が駆動されて、スリット１２２Ｄが上段保持部１１０の次列（装置前側から３列目）の飛散塩分捕獲体２０の位置まで移動される。これにより、使用済みの２列目の飛散塩分捕獲体２０が中段保持部１２０から下段保持部１３０の２列目の収納位置に落下し、上段保持部１１０の３列目の未使用の飛散塩分捕獲体２０が中段保持部１２０の収納位置に落下する。
【００３９】
さらに、図１１に示すように、所定期間経過後にモータ１５２が駆動されて、スリット１２２Ｄが上段保持部１１０の次列（装置前側から４列目）の飛散塩分捕獲体２０の位置まで移動される。これにより、使用済みの３列目の飛散塩分捕獲体２０が中段保持部１２０から下段保持部１３０の３列目の収納位置に落下し、上段保持部１１０の４列目の未使用の飛散塩分捕獲体２０が中段保持部１２０の収納位置に落下する。
【００４０】
以上説明したように、本実施形態に係る飛散塩分捕獲装置１０は、大気中に飛散している塩分を捕獲可能であるガーゼ２２、及び、ガーゼ２２が張られたガーゼホルダー２４を有する複数の飛散塩分捕獲体２０と、複数の飛散塩分捕獲体２０を保持する保持装置１００とを備える。この保持装置１００は、上段保持部１１０と、上段保持部１１０から下方に離された位置に配された下段保持部１３０と、これらの間に配された中段保持部１２０とを備える。
【００４１】
上段保持部１１０は、未使用の飛散塩分捕獲体２０を縦向きに収納する複数の上段収納部（仕切板１１２の間の空間）が、未使用の飛散塩分捕獲体２０に対して直交する方向（装置前後方向）へ並べて配され、前記上段収納部の下部に、飛散塩分捕獲体２０が通過可能なスリット（仕切板１１２の間の空間の下部）が形成されている。また、下段保持部１３０は、使用済の飛散塩分捕獲体２０を縦向きに収納する複数の下段収納部（仕切板１３２の間の空間）が、使用済の飛散塩分捕獲体２０に対して直交する方向へ並べて配され、前記下段収納部の上部に、飛散塩分捕獲体２０が通過可能なスリット１３８Ａが形成されている。さらに、中段保持部１２０は、上段保持部１１０と下段保持部１３０との間に前記上段収納部及び前記下段収納部が並んだ方向（装置前後方向）へ移動可能に設けられ、仕切板１１２の間のスリットを塞ぐ上板１２２Ａ、スリット１３８Ａを塞ぐ下板１２２Ｂ、及び、使用中の飛散塩分捕獲体２０を縦向きに上板１２２Ａと下板１２２Ｂとの間で保持する枠体１２４を有し、上板１２２Ａに飛散塩分捕獲体２０が枠体１２４へ通過可能なスリット１２２Ｄが形成され、下板１２２Ｂに飛散塩分捕獲体２０が前記下段収納部へ通過可能なスリット１２２Ｅが形成されている。
【００４２】
ここで、中段保持部１２０が所定方向（装置後方向）に移動すると、未使用の飛散塩分捕獲体２０が、前記上段収納部の何れか一から枠体１２４へスリット（仕切板１１２の間の空間の下部）及びスリット１２２Ｄを通して落下して該飛散塩分捕獲体２０が隣り合ったスリット１３８Ａの間の帯状部１３８Ｂに載る第一の状態と、使用中の飛散塩分捕獲体２０が、枠体１２４から前記下段収納部（仕切板１１２の間の空間）の何れか一へスリット１２２Ｄ及びスリット１３８Ａを通して落下すると共に、未使用の飛散塩分捕獲体２０が上板１２２Ａの上に載る第二の状態とに交互に遷移するように構成されている。
【００４３】
これによって、複数の未使用の飛散塩分捕獲体２０を上段保持部１１０に収納しておき、中段保持部１２０を装置後方向へ所定量ずつ移動させるという簡単な操作により、装置前側から順番に未使用の飛散塩分捕獲体２０を上段保持部１１０から中段保持部１２０へ落下させて所定期間曝露状態とし、使用済の飛散塩分捕獲体２０については、装置前側から順番に下段保持部１３０へ落下させて下段保持部１３０に収納することができる。従って、飛散塩分を捕獲するガーゼ２２の交換を百葉箱１の中で簡単に実施できる。
【００４４】
また、本実施形態に係る飛散塩分捕獲装置１０では、前記第一の状態が所定時間（例えば１か月間）維持され、前記第二の状態を経由して前記第一の状態に遷移されて前記所定時間維持されることが繰り返されるように、中段保持部１２０を装置後方向へ移動させる移動機構１５０を備える。従って、飛散塩分を捕獲するガーゼ２２の交換を百葉箱１の中で自動で実施できる。
【００４５】
また、本実施形態に係る飛散塩分捕獲装置１０では、中段保持部１２０の側部が開放されていると共に、中段保持部１２０を装置左右方向に挟む一対の側板１４２が多孔板となっている。即ち、中段保持部１２０で曝露状態の飛散塩分捕獲体２０の装置左右方向両側が通風状態となっている。従って、装置前後方向のみならず装置左右方向から曝露状態の飛散塩分捕獲体２０へ導風することができる。
【００４６】
また、本実施形態に係る飛散塩分捕獲装置１０では、上段保持部１１０の上部に、該上部を閉塞する蓋部１１６が着脱可能に設けられ、下段保持部１３０の下部に、該下部を閉塞する蓋部１３６が着脱可能に設けられている。これによって、上段保持部１１０や下段保持部１３０に飛散塩分が侵入してガーゼ２２に付着することを防止できる。また、未使用の飛散塩分捕獲体２０を上段保持部１１０に挿入でき、使用済の飛散塩分捕獲体２０を下段保持部１３０から取り出すことができる。
【００４７】
また、本実施形態に係る飛散塩分捕獲体２０には、各々を識別するための表示が記されている。この表示は、曝露位置に置かれて飛散塩分を捕獲するのに使用される月等である。よって、使用済の飛散塩分捕獲体２０の管理を容易化できる。さらに、本実施形態に係る飛散塩分捕獲体２０のガーゼホルダー２４の一辺にウエイト２６が取り付けられていることにより、この一辺を下にして飛散塩分捕獲体２０を上段保持部１１０に挿入することで、飛散塩分捕獲体２０が、上段保持部１１０から中段保持部１２０へ、中段保持部１２０から下段保持部１３０へ落下し易くなる。
【００４８】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、中段保持部１２０が移動機構１５０により自動で移動されるように構成したが、中段保持部１２０は手動で移動させてもよい。また、移動機構１５０を、ラック・アンド・ピニオン機構としたが、ボールネジを用いた機構等の他の機構としてもよい。さらに、飛散塩分捕獲体２０のガーゼ２２に識別表示を記したが、ガーゼホルダー２４に識別表示を記してもよい。
【符号の説明】
【００４９】
１  百葉箱、２  ルーバー、１０  飛散塩分捕獲装置、２０  飛散塩分捕獲体、２２  ガーゼ、２４  ガーゼホルダー、２６  ウエイト、１００  保持装置、１１０  上段保持部、１１２  仕切板、１１４  保持部材、１１４Ａ  スリット、１１５  固定ピン、１１６  蓋部、１２０  中段保持部、１２２  ベース部、１２２Ａ  上板、１２２Ｂ  下板、１２２Ｃ  柱部、１２２Ｄ、１２２Ｅ  スリット、１２４  枠体、１２４Ａ  開口、１３０  下段保持部、１３２  仕切板、１３４  保持部材、１３４Ａ  スリット、１３５  固定ピン、１３６  蓋部、１３８  スリット形成部、１３８Ａ  スリット、１３８Ｂ  帯状部、１４０  フレーム、１４２  側板、１４４Ａ、１４４Ｂ、１４６Ａ、１４６Ｂ  連結部材、１４８  脚部、１４８Ａ  柱部、１４８Ｂ  底部、１４９  脚部、１４９Ａ  柱部、１４９Ｂ  底部、１５０  移動機構、１５２  モータ、１５２Ａ  ピニオンギア、１５４  ラック
【要約】
【課題】飛散塩分を捕獲するガーゼの交換を百葉箱の中で自動若しくは簡単な操作により実施できるようにする。
【解決手段】保持装置１００は、中段保持部１２０が所定方向（装置後方向）に移動すると、前記上段収納部の何れか一から枠体１２４へスリット（仕切板１１２の間の空間の下部）及びスリット１２２Ｄを通して未使用の飛散塩分捕獲体２０が落下して該飛散塩分捕獲体２０がスリット１３８Ａの間の帯状部１３８Ｂに載る第一の状態と、枠体１２４から前記下段収納部（仕切板１１２の間の空間）の何れか一へスリット１２２Ｄ及びスリット１３８Ａを通して使用中の飛散塩分捕獲体２０が落下すると共に、未使用の飛散塩分捕獲体２０が上板１２２Ａの上に載る第二の状態とに交互に遷移するように構成されている。【図１】
0005766897.tif 000002
【図２】
0005766897.tif 000003
【図３】
0005766897.tif 000004
【図４】
0005766897.tif 000005
【図５】
0005766897.tif 000006
【図６】
0005766897.tif 000007
【図７】
0005766897.tif 000008
【図８】
0005766897.tif 000009
【図９】
0005766897.tif 000010
【図１０】
0005766897.tif 000011
【図１１】
0005766897.tif 000012